(57)【要約】      （修正有）【課題】印刷を行う処理と原稿を読み取る処理とが並行して行われている場合に両処理のいずれの中止にも対応する中止操作受付部への操作がなされたときの操作性を向上することができる画像形成装置及びプログラムを提供する。【解決手段】画像形成装置は、画像を印刷する処理を行う印刷処理手段と、原稿を読み取る処理を行う読取処理手段と、処理の中止操作を受け付ける中止操作受付部と、前記印刷処理手段による処理と前記読取処理手段による処理とが並行して行われている場合に、前記中止操作受付部が中止操作を受け付けたときに、中止対象の処理についての優先順位に従って、前記印刷処理手段による処理及び前記読取処理手段による処理のいずれか一方を中止するよう制御する中止制御手段とを有する。【選択図】図５
2014011777.tif 000002
【特許請求の範囲】
【請求項１】
画像を印刷する処理を行う印刷処理手段と、
原稿を読み取る処理を行う読取処理手段と、
処理の中止操作を受け付ける中止操作受付部と、
前記印刷処理手段による処理と前記読取処理手段による処理とが並行して行われている場合に、前記中止操作受付部が中止操作を受け付けたときに、中止対象の処理についての優先順位に従って、前記印刷処理手段による処理及び前記読取処理手段による処理のいずれか一方を中止するよう制御する中止制御手段と
を有する画像形成装置。
【請求項２】
前記中止制御手段は、前記印刷処理手段による処理と前記読取処理手段による処理とが並行して行われている場合に、前記中止操作受付部が中止操作を受け付けたときに、前記読取処理手段による処理を前記印刷処理手段による処理よりも優先して中止するよう制御する
請求項１記載の画像形成装置。
【請求項３】
前記中止制御手段は、前記印刷処理手段による処理と前記読取処理手段による処理とが並行して行われている場合に、前記中止操作受付部が中止操作を受け付けたときに、前記印刷処理手段による処理の進捗状況又は前記読取処理手段による処理の進捗状況に基づいて定まる優先順位に従って、前記印刷処理手段による処理及び前記読取処理手段による処理のいずれか一方を中止するよう制御する
請求項１記載の画像形成装置。
【請求項４】
前記印刷処理手段による処理又は前記読取処理手段による処理についての操作を行う操作者を認証する認証手段
をさらに有し、
前記中止制御手段は、前記印刷処理手段による処理と前記読取処理手段による処理とが並行して行われている場合に前記中止操作受付部が中止操作を受け付けたときに、前記印刷処理手段による処理及び前記読取処理手段による処理のうち、前記認証手段により認証がなされている操作者による処理を優先して中止するよう制御する
請求項１記載の画像形成装置。
【請求項５】
前記読取処理手段は、原稿を搬送して該原稿を読み取る処理を行い、前記中止制御手段による処理の中止があった場合に、中止後に、搬送指示に基づいて前記中止制御手段により搬送が中止された原稿の搬送を行う
請求項１乃至４のいずれか記載の画像形成装置。
【請求項６】
前記読取処理手段は、原稿を搬送して該原稿を読み取る処理を行い、
前記中止制御手段は、前記読取処理手段による処理を中止するよう制御する場合、原稿の搬送処理と読取処理のうち、読取処理を中止するよう制御し、
前記読取処理手段は、前記中止制御手段による処理の中止後に、原稿の搬送処理を継続する
請求項１乃至４のいずれか記載の画像形成装置。
【請求項７】
前記読取処理手段は、前記中止制御手段による処理の中止後に、前記中止制御手段により処理が中止される前の搬送速度よりも遅い搬送速度で原稿を搬送する
請求項５又は６記載の画像形成装置。
【請求項８】
前記読取処理手段は、前記中止制御手段による処理の中止後に、前記中止制御手段により処理が中止される前の搬送方向とは異なる方向に原稿を搬送する
請求項５乃至７のいずれか記載の画像形成装置。
【請求項９】
前記読取処理手段は、前記中止制御手段により処理が中止される前までに搬送された搬送量が、予め定められた搬送量以上の場合には、前記中止制御手段による処理の中止後に、前記中止制御手段により処理が中止される前の搬送方向と同じ方向に原稿を搬送し、前記中止制御手段により処理が中止される前までに搬送された搬送量が、予め定められた搬送量より小さい場合には、前記中止制御手段による処理の中止後に、前記中止制御手段により処理が中止される前の搬送方向とは異なる方向に原稿を搬送する
請求項５乃至７のいずれか記載の画像形成装置。
【請求項１０】
画像を印刷する処理を行う印刷処理ステップと、
原稿を読み取る処理を行う読取処理ステップと、
前記印刷処理ステップによる処理と前記読取処理ステップによる処理とが並行して行われている場合に、処理の中止操作を受け付ける中止操作受付部が中止操作を受け付けたときに、中止対象の処理についての優先順位に従って、前記印刷処理ステップによる処理及び前記読取処理ステップによる処理のいずれか一方を中止するよう制御する中止制御ステップと
をコンピュータに実行させるプログラム。
【発明の詳細な説明】
【技術分野】
【０００１】
本発明は、画像形成装置及びプログラムに関する。
【背景技術】
【０００２】
特許文献１は、ユーザ・インタフェース手段が、複数の種類情報の中の２つ以上の種類情報が含まれる種類情報グループを指定する操作が可能な手段であり、印刷ジョブキャンセル手段が、前記種類情報グループを指定する操作が前記ユーザ・インタフェース手段に対してなされたときには、当該種類情報グループに含まれる各属性情報と対応づけた形で印刷ジョブ管理手段が管理している各印刷ジョブの実行が中止されるように、制御する手段である印刷装置について開示している。
【０００３】
特許文献２は、原稿画像を読取る画像読取手段と、前記画像読取手段によって読取られた画像データを記憶する記憶手段と、前記記憶手段に記憶された画像データに基づいて画像形成を行なう画像形成手段と、前記画像読取手段と前記画像形成手段とを並行して動作させる制御手段と、実行中のすべての動作を停止させる停止指示手段と、前記停止指示手段によって実行中の複数の動作が停止されたとき、複数のうちのいくつかの動作を選択する選択手段と、前記選択手段によって選択された動作にかかわる画像データを前記記憶手段から消去する消去手段とを備えたことを特徴とする画像形成装置について開示している。
【先行技術文献】
【特許文献】
【０００４】
【特許文献１】特開２００８−２２７７０４号公報
【特許文献２】特開平０９−１６３０８８号公報
【発明の概要】
【発明が解決しようとする課題】
【０００５】
本発明の目的は、印刷を行う処理と原稿を読み取る処理とが並行して行われている場合に両処理のいずれの中止にも対応する中止操作受付部への操作がなされたときの操作性を向上することができる画像形成装置及びプログラムを提供する。
【課題を解決するための手段】
【０００６】
［画像形成装置］
請求項１に係る本発明は、画像を印刷する処理を行う印刷処理手段と、原稿を読み取る処理を行う読取処理手段と、処理の中止操作を受け付ける中止操作受付部と、前記印刷処理手段による処理と前記読取処理手段による処理とが並行して行われている場合に、前記中止操作受付部が中止操作を受け付けたときに、中止対象の処理についての優先順位に従って、前記印刷処理手段による処理及び前記読取処理手段による処理のいずれか一方を中止するよう制御する中止制御手段とを有する画像形成装置である。
【０００７】
請求項２に係る本発明は、前記中止制御手段は、前記印刷処理手段による処理と前記読取処理手段による処理とが並行して行われている場合に、前記中止操作受付部が中止操作を受け付けたときに、前記読取処理手段による処理を前記印刷処理手段による処理よりも優先して中止するよう制御する請求項１記載の画像形成装置である。
【０００８】
請求項３に係る本発明は、前記中止制御手段は、前記印刷処理手段による処理と前記読取処理手段による処理とが並行して行われている場合に、前記中止操作受付部が中止操作を受け付けたときに、前記印刷処理手段による処理の進捗状況又は前記読取処理手段による処理の進捗状況に基づいて定まる優先順位に従って、前記印刷処理手段による処理及び前記読取処理手段による処理のいずれか一方を中止するよう制御する請求項１記載の画像形成装置である。
【０００９】
請求項４に係る本発明は、前記印刷処理手段による処理又は前記読取処理手段による処理についての操作を行う操作者を認証する認証手段をさらに有し、前記中止制御手段は、前記印刷処理手段による処理と前記読取処理手段による処理とが並行して行われている場合に前記中止操作受付部が中止操作を受け付けたときに、前記印刷処理手段による処理及び前記読取処理手段による処理のうち、前記認証手段により認証がなされている操作者による処理を優先して中止するよう制御する請求項１記載の画像形成装置である。
【００１０】
請求項５に係る本発明は、前記読取処理手段は、原稿を搬送して該原稿を読み取る処理を行い、前記中止制御手段による処理の中止があった場合に、中止後に、搬送指示に基づいて前記中止制御手段により搬送が中止された原稿の搬送を行う請求項１乃至４のいずれか記載の画像形成装置である。
【００１１】
請求項６に係る本発明は、前記読取処理手段は、原稿を搬送して該原稿を読み取る処理を行い、前記中止制御手段は、前記読取処理手段による処理を中止するよう制御する場合、原稿の搬送処理と読取処理のうち、読取処理を中止するよう制御し、前記読取処理手段は、前記中止制御手段による処理の中止後に、原稿の搬送処理を継続する請求項１乃至４のいずれか記載の画像形成装置である。
【００１２】
請求項７に係る本発明は、前記読取処理手段は、前記中止制御手段による処理の中止後に、前記中止制御手段により処理が中止される前の搬送速度よりも遅い搬送速度で原稿を搬送する請求項５又は６記載の画像形成装置である。
【００１３】
請求項８に係る本発明は、前記読取処理手段は、前記中止制御手段による処理の中止後に、前記中止制御手段により処理が中止される前の搬送方向とは異なる方向に原稿を搬送する請求項５乃至７のいずれか記載の画像形成装置である。
【００１４】
請求項９に係る本発明は、前記読取処理手段は、前記中止制御手段により処理が中止される前までに搬送された搬送量が、予め定められた搬送量以上の場合には、前記中止制御手段による処理の中止後に、前記中止制御手段により処理が中止される前の搬送方向と同じ方向に原稿を搬送し、前記中止制御手段により処理が中止される前までに搬送された搬送量が、予め定められた搬送量より小さい場合には、前記中止制御手段による処理の中止後に、前記中止制御手段により処理が中止される前の搬送方向とは異なる方向に原稿を搬送する請求項５乃至７のいずれか記載の画像形成装置である。
【００１５】
［プログラム］
請求項１０に係る本発明は、画像を印刷する処理を行う印刷処理ステップと、原稿を読み取る処理を行う読取処理ステップと、前記印刷処理ステップによる処理と前記読取処理ステップによる処理とが並行して行われている場合に、処理の中止操作を受け付ける中止操作受付部が中止操作を受け付けたときに、中止対象の処理についての優先順位に従って、前記印刷処理ステップによる処理及び前記読取処理ステップによる処理のいずれか一方を中止するよう制御する中止制御ステップとをコンピュータに実行させるプログラムである。
【発明の効果】
【００１６】
請求項１に係る本発明によれば、印刷を行う処理と原稿を読み取る処理とが並行して行われている場合に両処理のいずれの中止にも対応する中止操作受付部への操作がなされたときの操作性を、本構成を有しない場合に比べ向上することができる画像形成装置を提供することができる。
【００１７】
請求項２に係る本発明によれば、請求項１に係る発明の効果に加え、原稿を読み取る処理を行うよう操作した使用者に対する操作性を、本構成を有しない場合に比べ向上することができる画像形成装置を提供することができる。
【００１８】
請求項３に係る本発明によれば、請求項１に係る発明の効果に加え、処理の進捗状況に応じた優先順位により、処理の中止を行うことができる画像形成装置を提供することができる。
【００１９】
請求項４に係る本発明によれば、請求項１に係る本発明の効果に加え、認証がなされている処理を優先して中止することができる画像形成装置を提供することができる。
【００２０】
請求項５に係る本発明によれば、請求項１乃至４いずれかに係る本発明の効果に加え、搬送途中で処理が中止された原稿を取り出す際の利便性を、本構成を有しない場合に比べ向上することができる画像形成装置を提供することができる。
【００２１】
請求項６に係る本発明によれば、請求項１乃至４いずれかに係る本発明の効果に加え、搬送途中で処理が中止された原稿を取り出す際の利便性を、本構成を有しない場合に比べ向上することができる画像形成装置を提供することができる。
【００２２】
請求項７に係る本発明によれば、請求項５又は６に係る本発明の効果に加え、原稿が傷むのを抑制することができる画像形成装置を提供することができる。
【００２３】
請求項８に係る本発明によれば、請求項５乃至７いずれかに係る本発明の効果に加え、順方向へ搬送する場合における取出しまでに要する搬送量が、逆方向へ搬送する場合における取出しまでに要する搬送量よりも長いときに、取出しまでの時間を短縮することができる画像形成装置を提供することができる。
【００２４】
請求項９に係る本発明によれば、請求項５乃至７いずれかに係る本発明の効果に加え、原稿が取り出されるまでの時間を短縮することができる画像形成装置を提供することができる。
【００２５】
請求項１０に係る本発明によれば、印刷を行う処理と原稿を読み取る処理とが並行して行われている場合に両処理のいずれの中止にも対応する中止操作受付部への操作がなされたときの操作性を、本構成を有しない場合に比べ向上することができるプログラムを提供することができる。
【図面の簡単な説明】
【００２６】
【図１】本発明の実施形態に係る画像形成装置１０を示す断面図である。
【図２】本発明の実施形態に係る画像形成装置１０が有する表示操作ユニット２００の一例を示す平面図である。
【図３】本発明の実施形態に係る画像形成装置１０が有する原稿読取ユニット４００を示す断面図である。
【図４】本発明の実施形態に係る画像形成装置１０のハードウェア構成を示すブロック図である。
【図５】本発明の実施形態に係る画像形成装置１０の機能構成を示すブロック図である。
【図６】中止釦２１２が押下された場合の動作について例示するフローチャートである。
【図７】搬送読取ストップイベントについての動作を説明するフローチャートである。
【図８】原稿詰まり表示処理の動作を示すフローチャートである。
【図９】中止制御部がコピー処理及びファクシミリ送受信処理についても処理を中止する例の画像形成装置１０の機能構成を示すブロック図である。
【発明を実施するための形態】
【００２７】
本発明の第１実施形態を図面に基づいて説明する。図１には、本発明の第１実施形態に係る画像形成装置１０が示されている。画像形成装置１０は、画像形成部２０と、媒体供給装置１００と、表示操作ユニット２００と、通信装置３００と、原稿読取ユニット４００とを有する。
【００２８】
表示操作ユニット２００は、ユーザインターフェイスとして用いられていて、表示操作ユニット本体２０２を有し、表示操作ユニット２００に、表示手段として用いられるとともに、操作手段として用いられるタッチパネル２０４が装着されている。ここで、タッチパネルとは、指や専用のペンで画面に触れることで入力操作が可能な装置であり、指等が触れた位置を検知して画面上の位置を指定し、操作対象に指示を与えることができる装置である。
【００２９】
図２は、表示操作ユニット２００の一例を示す平面図である。表示操作ユニット本体２０２には、タッチパネル２０４の他に釦操作部２０６が備えられている。
【００３０】
タッチパネル２０４には、操作者がタッチパネル２０４を操作することで、画像形成部２０に供給する記録媒体の選択、画像を形成する記録媒体の枚数、原稿読取ユニット４００で原稿を読み取る際の倍率や解像度などの種々の設定のためのパラメータが入力される。
【００３１】
釦操作部２０６には、機能が割り振られた釦が配置されており、釦が押下されることにより当該釦に割り振られた機能について指示を与えることができる。釦操作部２０６には、例えば、操作者の認証を行うための認証釦２０８、処理の開始を指示するための開始釦２１０、実行中の処理を中止するための中止操作受付部としての中止釦２１２などが設けられている。ここで、中止釦２１２は、並行して実行可能な複数の処理について、これらいずれの処理の中止にも対応するよう構成されており、並行して実行中の複数の処理のいずれの中止においても操作者は中止釦２１２を操作することとなる。
【００３２】
また、釦操作部２０６に配置された各釦には、２以上の機能が割り当てられていてもよい。例えば、中止釦２１２は、実行中の処理を中止する機能のほかに、入力した設定情報の取り消しを受け付ける釦としての機能を有していてもよい。
【００３３】
通信装置３００は、画像形成装置１０が他の装置等と通信を行うための装置であり、ＬＡＮ等のネットワーク及びファクシミリ通信回線に接続されている。画像形成装置１０は、通信装置３００を用いることで、ファクシミリの送受信を行うよう構成されており、また、画像形成装置１０は、通信装置３００を用いることで、画像データ又は印刷命令情報などのデータを送受信することができる。
【００３４】
媒体供給装置１００は、画像が形成される例えば普通紙等の記録媒体を画像形成部２０に供給する装置であり、例えば２つのロール媒体供給装置１１０と、例えば１つのカット媒体供給装置１４０とを有し、２つのロール媒体供給装置１１０の下方に、カット媒体供給装置１４０が位置するように重ねられて配置されている。なお、２つのロール媒体供給装置１１０は、例えば異なる幅のロール媒体を供給する。ここで、ロール媒体とは、例えば連続用紙等のロール状に巻かれた画像形成がなされる記録媒体を指す。また、カット媒体とは、例えばＡ４サイズ、Ｂ５サイズ等の予め定められたサイズに１枚ずつ切断された、例えば紙等の画像形成がなされる記録媒体を指す。
【００３５】
ロール媒体供給装置１１０は、ロール媒体供給装置本体１１２を有し、ロール媒体供給装置本体１１２内に、ロール媒体１１４が回転することができ、先端部を引き出すことができるように装着されている。また、ロール媒体供給装置本体１１２内には、ロール媒体が搬送される通路であるロール媒体搬送路１１６が形成されていて、ロール媒体搬送路１１６に沿って、ロール媒体の搬送方向上流側から順に、引き出しロール１１８と、搬送ロール１２０と、切断装置１２２とが装着されている。
【００３６】
引き出しロール１１８は、巻かれた状態にあるロール媒体の先端部を引き出し、該先端部をロール媒体搬送方向下流側に向けて引き出すために用いられている。搬送ロール１２０は、引き出しロール１１８によって引き出された用紙を、さらに下流側、すなわち画像形成部２０側に搬送するために用いられる。切断装置１２２は、必要な長さ分が画像形成部２０に供給されたロール媒体１１４の後端側を切断するために用いられる。
【００３７】
また、ロール媒体供給装置本体１１２内には、下段から供給される記録媒体が、画像形成部２０側に搬送される際に通過する通過搬送路１２４が形成されていて、通過搬送路１２４に沿って搬送ロール１２８が装着されている。搬送ロール１２８は、カット媒体供給装置１４０から供給されたカット媒体を、画像形成部２０側に搬送するために用いられる。
【００３８】
カット媒体供給装置１４０は、カット媒体供給装置本体１４２を有し、カット媒体供給装置本体１４２内に、カット媒体を積層するように収納するカット媒体収納部１４４が、例えばカット媒体供給装置本体１４２に対して着脱することができるように装着されている。また、カット媒体供給装置本体１４２内には、カット媒体収納部１４４の最上位に位置するカット媒体を、カット媒体搬送方向における下流側に送り出す送り出しロール１４６と、送り出しロール１４６によって引き出されたカット媒体を、さらに上流側に向けて搬送する搬送ロール１４８と、カット媒体を捌いてカット媒体の重送を防止する捌きロール１５０とが装着されている。また、搬送ロール１４８、及び捌きロール１５０の下流側に搬送ロール１５２が装着されている。
【００３９】
カット媒体供給装置１４０から供給されたカット媒体は、２つのロール媒体供給装置本体１１２内を通過するようにして、画像形成部２０に搬送される。
【００４０】
画像形成部２０は、通信装置３００を介して受信した印刷命令に基づいて、画像形成を行う。なお、画像形成部２０は、例えばページ記述言語による印刷命令に従って画像形成を行う。画像形成部２０は、例えば、図示しないＵＳＢメモリなどの可搬型の記憶媒体に格納された画像データについて画像形成してもよい。また、画像形成部２０は、通信装置３００を介して受信したファクシミリデータに基づいて、画像形成を行う。また、画像形成部２０は、原稿読取ユニット４００で取得された原稿画像に基づく画像形成を行う。画像形成部２０は、例えば電子写真方式のものであり、画像形成部本体２２を有し、画像形成部本体２２内には、媒体供給装置１００から供給された記録媒体が通過する媒体搬送路５０が形成されている。
【００４１】
また、画像形成部本体２２内には、例えば感光体ドラムが用いられる像保持体３０と、像保持体３０を一様に帯電する帯電装置３２と、帯電装置３２により一様に帯電された像保持体３０に潜像を形成する潜像形成装置３４と、潜像形成装置３４により形成された像保持体３０上の潜像をトナー（色材）で可視化する現像装置３６と、現像装置３６により形成されたトナー像を記録媒体に転写する転写装置４０と、像保持体３０に残ったトナーをクリーニングするクリーニング装置４２とが装着されている。
【００４２】
また、画像形成部本体２２内には、媒体搬送路５０に沿って、媒体搬送方向上流側から順に、搬送ロール５２と、レジストロール５４と、定着装置５６と、搬送ロール５８と、排出ロール６０とが装着されている。搬送ロール５２は、記録媒体をレジストロール５４に向けて搬送する。レジストロール５４は、停止した状態から所定のタイミングで回転を開始することで、像保持体３０にトナー像が形成されるタイミングと合致するように、記録媒体を像保持体３０と転写装置４０との接触部に送り出す。
【００４３】
定着装置５６は、転写装置４０によって記録媒体に転写されたトナー像を、圧力と熱とで記録媒体に定着する。排出ロール６０は、トナー像が定着された記録媒体を、画像形成部本体２２外に排出するために用いられる。
【００４４】
図３には、原稿読取ユニット４００が示されている。なお、本実施形態では、原稿を搬送し、後述する原稿画像取得部４２４により原稿画像を取得する構成について説明するが、原稿読取ユニット４００の構成として、例えば、操作者によって図示しないプラテン上に置かれた原稿を、原稿画像取得部４２４が移動して走査することにより読み取る構成としてもよい。
原稿読取ユニット４００は、単色又はカラーの画像を読み取ることができ、原稿読取ユニット本体４０２を有し、原稿読取ユニット本体４０２内に、原稿が通過する原稿搬送路４０４が形成されている。また、原稿読取ユニット本体４０２内に、原稿の搬送に用いられる原稿搬送部４０８が装着されている。原稿搬送部４０８は、原稿を読み取る際の搬送方向における上流側に設けられた搬送ロール４１０と、同方向における下流側に設けられた搬送ロール４１２とを有する。なお、原稿搬送部４０８は、原稿を読み取る際の搬送方向（順方向）とは、逆の方向（逆方向）にも原稿を搬送することができるよう構成されている。
【００４５】
また、原稿読取ユニット本体４０２内には、原稿を読み取り、原稿画像を取得する原稿画像取得手段として用いられる原稿画像取得部４２４が装着されている。原稿画像取得部４２４によって取得された原稿画像は、画像形成部２０又は通信装置３００へ送られる。また、原稿画像取得部４２４によって取得された画像が画像形成部２０へと送られた場合、画像形成部２０により画像形成がなされる。また、原稿画像取得部４２４によって取得された画像が通信装置３００へと送られた場合、ネットワークを介して接続された他の装置に、画像が送信される。なお、原稿画像取得部４２４によって取得された画像が通信装置３００へと送られた場合、ファクシミリ送信されてもよい。
【００４６】
原稿画像取得部４２４は、光透過性部材４１４と、光照射装置４１６と、光電変換部材４１８とを有する。光透過性部材４１４は、例えばガラス等の光を透過する材料が用いられ、例えば、原稿搬送路４０４の下側に配置されている。光照射装置４１６は、例えば、キセノンランプが用いられ、光透過性部材４１４を通過するようにして、原稿搬送路４０４を搬送中の原稿に光を照射する。
【００４７】
光電変換部材４１８は、光照射装置４１６から照射され、原稿の下向きの面で反射され、図示を省略する光学系によって集められた光が入射する位置に配置されていて、入射した光を電気信号に変換する。光電変換部材４１８には、例えばＣＣＤアレイが用いられ、ＣＣＤアレイが用いられる場合、該ＣＣＤアレイは、ＲＧＢ３色用の３列一組の受光センサを有している。
【００４８】
原稿読取ユニット本体４０２の外側には、原稿の、搬送ロール４１２によって原稿読取ユニット本体４０２外に排出された部分を装置前側（図３における右側）に案内する案内部材４２０が装着されている。
【００４９】
図４は、画像形成装置１０のハードウェア構成を示すブロック図である。図４に示すように、画像形成装置１０は、上述の画像形成部２０、媒体供給装置１００、表示操作ユニット２００、通信装置３００、原稿読取ユニット４００のほか、ＣＰＵ５００、メモリ５０２及び記憶装置５０４がバス接続された構成となっている。このように、画像形成装置１０は、情報処理及び他の装置との通信が可能なコンピュータとしての構成部分を有している。
【００５０】
ＣＰＵ５００は、メモリ５０２又は記憶装置５０４に書き込まれた後述するプログラムを実行することにより、画像形成装置１０の動作を制御する。なお、表示操作ユニット２００を介して受け付けられた入力は、ＣＰＵ５００に伝達され、ＣＰＵ５００からの表示情報が表示操作ユニット２００に伝達される。
【００５１】
ＣＰＵ５００は、ＵＳＢメモリ、ＣＤＲＯＭ等の記憶媒体に格納されたプログラムを実行してもよく、又は通信装置３００を介して提供されるプログラムを実行してもよい。
【００５２】
また、メモリ５０２は、プログラムなどの他に、原稿読取ユニット４００により読み取られた原稿画像データを記憶する。画像形成部２０は、メモリ５０２に記憶された原稿画像データに基づいて画像形成を行う。なお、メモリ５０２のほかに、原稿読取ユニット４００により読み取られた原稿画像データを記憶するための別のメモリを設け、このメモリに記憶された原稿画像データに基づいて画像形成部２０が画像形成を行うよう構成してもよい。
【００５３】
以上の構成において、画像形成装置１０は、画像形成部２０による処理と、原稿読取ユニット４００による処理とは、並行して動作することができるよう構成されている。例えば、画像形成装置１０は、通信装置３００を介して入力された印刷命令に基づいて画像形成部２０が画像形成を行う処理又は可搬型の記憶媒体に格納された画像データに基づいて画像形成を行う処理（以下、プリント処理という。）と、原稿読取ユニット４００により原稿を読み取る処理（以下、スキャン処理という。）とを並行して行うことが可能である。なお、スキャン処理により読み取られた原稿画像は、通信装置３００を介して他の装置へ送信されてもよいし、画像形成装置１０の記憶装置５０４に記憶されてもよい。
【００５４】
また、画像形成装置１０は、プリント処理とスキャン処理との並行動作に限らず、例えば、プリント処理、スキャン処理、ファクシミリを送信する処理、ファクシミリを受信する処理及びコピー処理のうち、２つ以上の処理を並行して行ってもよい。なお、コピー処理とは、原稿読取ユニット４００により読み取られた原稿画像を画像形成部２０により画像形成する処理をいう。
【００５５】
図５は、上記プログラムが実行されることにより実現される画像形成装置１０の機能構成を示すブロック図である。なお、プログラムの全部又は一部の機能は、ハードウェアにより実現されてもよく、例えば、画像形成装置１０に設けられたＡＳＩＣなどにより実現されてもよい。
【００５６】
画像形成装置１０は、図５に示されるように、認証部６００と、操作受付部６０２と、印刷命令受信部６０４と、印刷部６０６と、搬送読取部６０８と、送信部６１０と、中止制御部６１２と、原稿詰まり表示部６１４とを備えている。
【００５７】
認証部６００は、表示操作ユニット２００に対する操作を受け付けるにあたり、操作者の認証を行う。例えば、認証部６００は、印刷部６０６による処理又は搬送読取部６０８による処理についての操作を行う操作者を認証する。具体的には、例えば、後述する操作受付部６０２は、認証部６００による認証がなされた場合に、印刷部６０６による処理又は搬送読取部６０８による処理についての表示操作ユニット２００に対する操作を受けつける。認証部６００は、図示しない認証装置を介して取得される、認証対象者の識別情報に基づいて、認証を行う。
【００５８】
なお、認証装置では、例えば、使用者による入力、使用者により提示されたＩＣカード、磁気カードなどの読取りなどによって識別情報を取得する。なお、表示操作ユニット２００に対する操作について認証を要求しない場合には、認証部６００及び認証装置は、設けられなくてもよい。
【００５９】
操作受付部６０２は、表示操作ユニット２００に対する操作者からの操作を受け付ける。例えば、操作受付部６０２は、中止釦２１２の押下操作を受け付ける。
【００６０】
印刷命令受信部６０４は、通信装置３００を介して、例えば他の装置から送信されてきたページ記述言語による印刷命令を受信し、印刷部６０６へ出力する。
【００６１】
印刷部６０６は、上記プリント処理を行う。具体的には、印刷部６０６は、印刷命令受信部６０４が受信した印刷命令に基づいて、画像形成部２０を制御し、画像を形成するよう処理を行う。また、印刷部６０６は、可搬型の記憶媒体に格納された画像データに基づいて画像形成部２０を制御し、画像を形成するよう処理を行ってもよい。
【００６２】
搬送読取部６０８は、上記スキャン処理を行う。具体的には、搬送読取部６０８は、原稿読取ユニット４００を制御し、原稿を搬送し、この原稿を読み取るよう処理を行う。なお、原稿読取ユニット４００が、原稿を搬送し原稿画像を取得する構成ではなく、例えば、操作者によって図示しないプラテン上に置かれた原稿を原稿画像取得部４２４が移動して走査することにより読み取る構成である場合には、スキャン処理に原稿の搬送処理は含まれない。
【００６３】
また、搬送読取部６０８は、後述する中止制御部６１２により搬送読取部６０８による処理が中止された後に、操作受付部６０２が原稿の搬送を指示する操作を受け付けた場合、中止制御部６１２により搬送が中止された原稿の搬送を行うよう原稿読取ユニット４００を制御し、原稿を原稿読取ユニット４００から排出する。なお、搬送読取部６０８は、中止制御部６１２により搬送読取部６０８による処理が中止された後に、操作受付部６０２が原稿の搬送を指示する操作を受け付けた場合、原稿を読み取る際の搬送速度（中止制御部６１２により処理が中止される前の搬送速度）よりも遅い搬送速度で原稿を搬送して、排出する。
【００６４】
送信部６１０は、搬送読取部６０８により読み取られた原稿画像を、通信装置３００を介して送信する。
【００６５】
中止制御部６１２は、操作受付部６０２が、処理の中止操作を受け付けた場合に、実行中の処理のうちいずれかの処理を中止するよう制御する。本実施形態の中止制御部６１２は、印刷部６０６による処理と搬送読取部６０８による処理とが並行して行われている場合に、操作受付部６０２が中止釦２１２の押下操作を受け付けたときに、中止対象の処理についての優先順位に従って、印刷部６０６による処理及び搬送読取部６０８による処理のいずれか一方を中止するよう制御する。なお、中止制御部６１２は、実行中の処理が１つである場合には、当該実行中の処理を中止するよう制御する。
【００６６】
例えば、中止制御部６１２は、優先順位として、搬送読取部６０８による処理を印刷部６０６による処理よりも優先して中止するよう予め設定しておき、印刷部６０６による処理と搬送読取部６０８による処理とが並行して行われている場合に、中止釦２１２が押下されたときに、搬送読取手段による処理を中止し、印刷手段による処理を中止しないよう制御する。
【００６７】
原稿詰まり表示部６１４は、原稿読取ユニット４００内に原稿が詰まった際に、表示操作ユニット２００に対して画面表示を行う。ここで、原稿読取ユニット４００内に原稿が詰まるとは、原稿搬送部４０８が原稿を搬送するように動作しているにもかかわらず原稿が搬送されない状態（以下、搬送中の原稿詰まりという。）を指すのみならず、中止制御部６１２により搬送読取部６０８の処理が中止され、搬送中の原稿の搬送が搬送途中で中止された状態（以下、搬送中止による原稿詰まりという。）も含むものとする。
【００６８】
原稿詰まり表示部６１４は、上記搬送中の原稿詰まりの場合、例えば、原稿搬送路４０４における原稿詰まり発生箇所を表示操作ユニット２００に表示する。この場合、原稿詰まりを直すための手順を表示するようにしてもよい。
【００６９】
一方、原稿詰まり表示部６１４は、上記搬送中止による原稿詰まりの場合、例えば、原稿を搬送して排出するか否かを、操作者に選択させる表示を表示操作ユニット２００に対して行う。ここで、操作者が、原稿を搬送して排出するよう選択する入力を表示操作ユニット２００に行った場合、上記の通り、搬送読取部６０８が原稿を搬送して排出するよう処理を行うこととなる。
【００７０】
図６は、中止釦２１２が押下された場合の動作について例示するフローチャートである。
【００７１】
ステップ１００（Ｓ１００）において、操作受付部６０２が、操作者による中止釦２１２の操作を受け付ける。
【００７２】
ステップ１０２（Ｓ１０２）において、表示操作ユニット２００におけるユーザインターフェイス（ＵＩ）操作として、中止釦２１２が押下された場合には、ステップ１０４へ移行し、ＵＩ操作ではない場合には、ステップ１０６へ移行する。ここで、ＵＩ操作とは、画像形成装置１０に対する設定情報の入力に関する操作をいう。ＵＩ操作として中止釦２１２が押下されると、例えば入力した設定情報の取り消しを受け付ける釦として、中止釦２１２が機能する。
【００７３】
ステップ１０４（Ｓ１０４）において、Ｓ１００における中止釦２１２の押下は、ＵＩ操作としての中止釦２１２の機能に基づいて、処理される。
【００７４】
ステップ１０６（Ｓ１０６）において、搬送読取部６０８が搬送読取中である場合には、ステップ１０８へ移行し、原稿の搬送読取中ではない場合には、ステップ１１０へ移行する。具体的には、中止制御部６１２は、例えば、搬送読取部６０８の状態を監視し、搬送読取部６０８が搬送読取中である場合には、ステップ１０８へ移行し、搬送読取部６０８が搬送読取中ではない場合には、ステップ１１０へ移行する。
【００７５】
ステップ１０８（Ｓ１０８）において、中止制御部６１２は、ステップ１００で操作受付部６０２が受け付けた操作を搬送読取ストップイベントとして処理する。具体的には、後述する中止制御部６１２は、搬送読取部６０８による処理を中止するよう制御する。なお、搬送読取ストップイベントは、後に詳細を説明する。
【００７６】
一方、ステップ１１０（Ｓ１１０）では、中止制御部６１２は、ステップ１００で操作受付部６０２が受け付けた操作を印刷ストップイベントとして処理する。具体的には、中止制御部６１２は、印刷部６０６による処理を中止するよう制御する。なお、印刷部６０６が処理を実行中でない場合には、ステップ１００において受けた中止釦２１２の押下操作は、無効なものとして扱われる。
【００７７】
また、上記ステップ１０６におけるフローの分岐について、中止制御部６１２が、搬送読取部６０８に処理の中止を通知し、通知を受けた搬送読取部６０８が処理を中止した旨の応答をした場合には、搬送読取ストップイベントとして中止釦２１２の押下を処理し、通知を受けた搬送読取部６０８が中止すべき処理が実行されていない旨の応答をした場合には、中止制御部６１２が印刷部６０６に処理の中止を通知し、印刷ストップイベントして中止釦２１２の押下を処理してもよい。
【００７８】
以上説明したフローチャートでは、中止対象の処理についての優先順位として、搬送読取部６０８による処理を印刷部６０６による処理よりも優先する例について示しており、例えば、搬送読取部６０８による処理をするように使用者が画像形成装置１０を操作した際に、当該使用者が中止釦２１２を押下した場合、例えば他の使用者による指示により行われている印刷部６０６による処理は継続しつつ、搬送読取部６０８による処理が中止される。
【００７９】
次に、ステップ１０８における搬送読取ストップイベントについて説明する。
図７は、搬送読取ストップイベントについての動作を説明するフローチャートである。
【００８０】
ステップ２００（Ｓ２００）において、中止制御部６１２は、搬送読取部６０８に対し処理を中止するよう制御し、搬送読取部６０８は、原稿の搬送及び読取を中止する。
【００８１】
ステップ２０２（Ｓ２０２）において、原稿詰まり表示部６１４により、後述する原稿詰まり表示処理が行われ、原稿詰まり表示部６１４は、原稿を搬送して排出するか否かを選択させる表示を表示操作ユニット２００に対して行う。
【００８２】
ステップ２０４（Ｓ２０４）において、原稿を搬送して排出するよう選択する入力を操作受付部６０２が受け付けたか否かを判定し、受け付けた場合には、ステップ２０６へ移行し、受け付けない場合には、終了する。
【００８３】
ステップ２０６（Ｓ２０６）において、搬送読取部６０８は、原稿の搬送速度を、原稿を読み取る際の搬送速度よりも遅い搬送速度に設定する。
【００８４】
ステップ２０８（Ｓ２０８）において、搬送読取部６０８は、ステップ２０６で設定された搬送速度にて、原稿を搬送し、原稿読取ユニット４００から排出する。
【００８５】
図８は、上記ステップ２０２における原稿詰まり表示処理の動作を示すフローチャートである。
【００８６】
ステップ３００（Ｓ３００）において、原稿詰まり表示部６１４は、原稿読取ユニット４００における原稿の詰まりを検知する。
【００８７】
ステップ３０２（Ｓ３０２）において、原稿詰まり表示部６１４は、上述の搬送中止による原稿詰まりであるか否かを判定する。原稿詰まり表示部６１４は、例えば、中止制御部６１２が、搬送読取部６０８に対し処理を中止するよう制御した場合には、ステップ３００で検知した原稿詰まりを、搬送中止による原稿詰まりであると判定して、ステップ３０４へ移行する。一方、原稿詰まり表示部６１４は、例えば、中止制御部６１２が、搬送読取部６０８に対し処理を中止するよう制御していない場合には、ステップ３００で検知した原稿詰まりを、上述の搬送中の原稿詰まりであると判定して、ステップ３０６へ移行する。
【００８８】
ステップ３０４（Ｓ３０４）において、原稿詰まり表示部６１４は、原稿を搬送して排出するか否かを、操作者に選択させる表示を表示操作ユニット２００に対して行う。
【００８９】
なお、図７で示したフローのステップ２０２では、中止制御部６１２が搬送読取部６０８に対し処理を中止するよう制御しているので（図６のステップ１０８参照）、上記ステップ３０４における表示がなされることとなる。
【００９０】
一方、ステップ３０６（Ｓ３０６）では、原稿搬送路４０４における原稿詰まり発生箇所を表示操作ユニット２００に表示する。また、使用者が手などで原稿を取り除くための手順（例えば、原稿読取ユニット本体４０２の図示しないカバーの開け方など）を表示してもよい。
【００９１】
このように、搬送中止による原稿詰まりである場合には、ステップ３０６による表示は行われず、原稿を搬送して排出するか否かを操作者に選択させる表示が行われ、操作者から排出の指示操作があったときには、原稿が排出されることとなる。
【００９２】
以上説明した第１実施形態では、中止対象の処理についての優先順位として、搬送読取部６０８による処理を印刷部６０６による処理よりも優先する例について示しているが、印刷部６０６による処理が優先されてもよい。
【００９３】
また、中止制御部６１２は、印刷部６０６による処理と搬送読取部６０８による処理とが並行して行われている場合に、中止釦２１２が操作されたときに、印刷部６０６による処理の進捗状況又は搬送読取部６０８による処理の進捗状況に基づいて定まる優先順位に従って、印刷部６０６による処理及び搬送読取部６０８による処理のいずれか一方を中止するよう制御してもよい。
【００９４】
例えば、搬送読取部６０８による処理が開始された直後（例えば、予め定めた時間内）である場合には、搬送読取部６０８による処理の中止を印刷部６０６による処理の中止よりも優先し、それ以外の場合には、印刷部６０６による処理の中止を搬送読取部６０８による処理の中止よりも優先するようにしてもよい。
【００９５】
また、中止制御部６１２は、印刷部６０６による処理と搬送読取部６０８による処理とが並行して行われている場合に中止釦２１２が操作されたときに、印刷部６０６による処理及び搬送読取部６０８による処理のうち、認証部６００により認証がなされている操作者による処理を優先して中止するよう制御してもよい。例えば、印刷部６０６による処理を行うよう操作した操作者が、認証部６００によって認証されている状態の場合に、中止釦２１２が操作されたときには、この認証がされている状態の操作者による処理である印刷部６０６による処理が優先的に中止されるよう制御する。
【００９６】
また、例えば、搬送読取部６０８により読み取られた原稿画像が、送信部６１０により送信されるとともに画像形成部２０により画像形成される場合、中止制御部６１２は、搬送読取部６０８による処理が中止されるときには、当該中止される読取処理に基づく画像形成部２０による画像形成についても中止するように制御してもよい。
【００９７】
また、以上説明した第１実施形態では、読取ストップイベントとして処理する場合、中止制御部６１２は、搬送読取部６０８による原稿の搬送処理及び読取処理を中止するよう制御し、原稿搬送指示があったときに原稿の排出を行う例を示したが（図７のステップ２００及びステップ２０４参照）、読取ストップイベントとして処理する場合、読取処理を中止し、原稿の搬送は継続するよう制御してもよい。
【００９８】
また、図７のステップ２０８では、搬送読取部６０８は、中止制御部６１２により処理が中止される前の搬送方向（原稿読取の際の搬送方向）とは異なる、逆方向に原稿を搬送してもよい。
【００９９】
例えば、搬送読取部６０８は、中止制御部６１２により処理が中止される前までに搬送された搬送量が、予め定められた搬送量以上の場合には、中止制御部６１２により処理が中止される前の搬送方向と同じ方向に原稿を搬送し、中止制御部６１２により処理が中止される前までに搬送された搬送量が、予め定められた搬送量より小さい場合には、中止制御部６１２により処理が中止される前の搬送方向とは異なる方向に原稿を搬送するようにしてもよい。
【０１００】
例えば、読取対象の原稿の大きさについての情報がある場合には、原稿の大きさのうち半分以上が搬送済みであれば、処理が中止される前の搬送方向と同じ方向に原稿を搬送し、原稿の大きさのうち半分未満が搬送済みであれば、中止される前の搬送方向とは異なる方向に原稿を搬送する。
【０１０１】
また、以上説明した第１実施形態では、中止制御部６１２が印刷部６０６による処理及び搬送読取部６０８による処理のいずれか一方を中止するよう制御する例について説明したが、中止制御部６１２は、他の処理の中止についても制御してもよい。
【０１０２】
図９は、中止制御部がコピー処理及びファクシミリ送受信処理についても処理を中止する例の画像形成装置１０の機能構成を示すブロック図である。画像形成装置１０は、図９に示されるように、図５に示される構成のうち、複写部６５０及びファクシミリ送受信部６５２が追加され、中止制御部６１２が中止制御部６５４に置き換わっている点で図５に示される構成と異なる。
【０１０３】
複写部６５０は、搬送読取部６０８により読み取られた原稿画像についてコピー処理を行う。具体的には、複写部６５０は、搬送読取部６０８により読み取られた原稿画像を、画像形成部２０により形成するよう処理を行う。
【０１０４】
ファクシミリ送受信部６５２は、ファクシミリの送信処理とファクシミリの受信処理とを行う。具体的には、例えば、ファクシミリの送信処理として、ファクシミリ送受信部６５２は、搬送読取部６０８により読み取られた原稿画像について通信装置３００を介してファクシミリ送信する。また、例えば、ファクシミリの受信処理として、ファクシミリ送受信部６５２は、通信装置３００を介してファクシミリを受信し、受信したファクシミリデータに基づいて、画像形成部２０による画像形成を行う。
【０１０５】
中止制御部６５４は、印刷部６０６による処理、搬送読取部６０８による処理、複写部６５０による処理、ファクシミリ送受信部６５２によるファクシミリ送信処理及びファクシミリ送受信部６５２によるファクシミリ受信処理のうち並行して実行中の処理がある場合に、並行して実行中の処理のうち、優先順位に従って、いずれかの処理を中止するよう制御する。
【０１０６】
例えば、中止制御部６５４は、ファクシミリ送受信部６５２によるファクシミリ送信処理について、処理中止についての優先順位を上記他の処理に比べて最も高く予め定めておき、中止釦２１２が押下された場合に、並行して実行中の処理のうちファクシミリ送信処理を優先的に中止するように制御する。また、中止制御部６５４は、ファクシミリ送受信部６５２によるファクシミリ受信処理の中止については、受信については継続し、受信したファクシミリデータは例えば記憶装置５０４に記憶しておき、ファクシミリデータに基づく画像形成部２０による画像形成を中止するよう制御してもよい。
【符号の説明】
【０１０７】
１０      ：画像形成装置
２０      ：画像形成部
２００    ：表示操作ユニット
２１２    ：中止釦
３００    ：通信装置
４００    ：原稿読取ユニット
６００    ：認証部
６０２    ：操作受付部
６０４    ：印刷命令受信部
６０６    ：印刷部
６０８    ：搬送読取部
６１０    ：送信部
６１２、６５４    ：中止制御部
６１４    ：表示部
６５０    ：複写部
６５２    ：ファクシミリ送受信部
【図１】
2014011777.tif 000003
【図２】
2014011777.tif 000004
【図３】
2014011777.tif 000005
【図４】
2014011777.tif 000006
【図５】
2014011777.tif 000007
【図６】
2014011777.tif 000008
【図７】
2014011777.tif 000009
【図８】
2014011777.tif 000010
【図９】
2014011777.tif 000011